(57)【要約】【課題】複雑な画像認識処理等を行なう必要なしに、鍵画像に対応した再現性の高い画像を誰でも容易に撮影する。【解決手段】画像を表示する表示部25と、画像を撮影するレンズ光学系12、ＣＣＤ13を含む撮像部と、撮像部で得た画像を鍵画像として登録しておく内蔵メモリ29と、登録した鍵画像を表示部25の画面に半透過状態で表示させる一方で、撮像部で撮像している被写体の画像を半透過状態の鍵画像に重ね合わせて表示部25で表示させ、これら２つの画像の一致を照合して、予め設定された処理を実行する制御部22とを備える。【選択図】      図１
2006166012.tif 000002
【特許請求の範囲】
【請求項１】
画像を表示する表示部と、
画像を撮影する撮像手段と、
この撮像手段で得た画像を鍵画像として登録する登録手段と、
この登録手段が登録した鍵画像を上記表示部の画面に半透過状態で表示させる第１の表示制御手段と、
上記撮像手段で撮像している被写体の画像を上記表示部の画面に上記半透過状態の鍵画像に重ね合わせて表示させる第２の表示制御手段と、
上記撮像手段で撮像している被写体の画像と上記登録手段で登録した鍵画像との一致を照合する照合手段と、
この照合手段の照合結果に応じて予め設定された処理を実行する処理手段と
を具備したことを特徴とする撮像装置。
【請求項２】
上記照合手段は、上記予め設定されたタイミングで２つの画像の一致を照合することを特徴とする請求項１記載の撮像装置。
【請求項３】
上記照合手段は、上記撮像手段での画像撮影を指示するためのシャッタキー操作に基づいて２つの画像の一致を照合することを特徴とする請求項１記載の撮像装置。
【請求項４】
上記処理手段は、所定の機能の動作ロック状態を解除することを特徴とする請求項１記載の撮像装置。
【請求項５】
上記処理手段は、所定の機能を起動することを特徴とする請求項１記載の撮像装置。
【請求項６】
上記登録手段は、複数の機能に対応付けて複数の鍵画像を登録し、
上記第１の表示制御手段は、上記登録手段が登録した複数の鍵画像のうちの１つを上記表示部の画面に半透過状態で表示させ、
上記処理手段は、上記照合手段により一致を照合した鍵画像に対応付けられた機能の処理を実行する
ことを特徴とする請求項１記載の撮像装置。
【請求項７】
装置内蔵のメモリと装置に着脱自在に装着されるメモリの２種類の不揮発性メモリを有し、
上記登録手段は、上記装置内蔵のメモリの所定エリアに鍵画像を登録する
ことを特徴とする請求項１または６記載の撮像装置。
【請求項８】
上記登録手段は、鍵画像撮影時の撮影条件を鍵画像と共に登録し、
上記第２の表示制御手段は、鍵画像と共に登録された撮影条件を上記撮像手段で自動設定する
ことを特徴とする請求項１記載の撮像装置。
【請求項９】
画像を表示する表示部、及び画像を撮影する撮像部を備えた撮像装置の制御方法であって、
上記撮像部で得た画像を鍵画像として登録する登録工程と、
この登録工程で登録した鍵画像を上記表示部の画面に半透過状態で表示させる第１の表示制御工程と、
上記撮像部で撮像している被写体の画像を上記表示部の画面に上記半透過状態の鍵画像に重ね合わせて表示させる第２の表示制御工程と、
上記撮像部で撮像している被写体の画像と上記登録工程で登録した鍵画像との一致を照合する照合工程と、
この照合工程での照合結果に応じて予め設定された処理を実行する処理工程と
を有したことを特徴とする撮像装置の制御方法。
【請求項１０】
画像を表示する表示部、及び画像を撮影する撮像部を備えた撮像装置に内蔵されたコンピュータが実行するプログラムであって、
上記撮像部で得た画像を鍵画像として登録する登録ステップと、
この登録ステップで登録した鍵画像を上記表示部の画面に半透過状態で表示させる第１の表示制御ステップと、
上記撮像部で撮像している被写体の画像を上記表示部の画面に上記半透過状態の鍵画像に重ね合わせて表示させる第２の表示制御ステップと、
上記撮像部で撮像している被写体の画像と上記登録ステップで登録した鍵画像との一致を照合する照合ステップと、
この照合ステップでの照合結果に応じて予め設定された処理を実行する処理ステップと
をコンピュータに実行させることを特徴とするプログラム。
【発明の詳細な説明】
【技術分野】
【０００１】
本発明は、例えばデジタルカメラやカメラ機能付きの携帯電話機等に好適な撮像装置、撮像装置の制御方法及びプログラムに関する。
【背景技術】
【０００２】
カメラ機能付きの小型電子機器、例えば腕時計において、予め撮影した画像をシークレットキー（暗証）として登録しておき、新たに撮影する画像との照合により一致が得られた場合には動作のシークレット状態を解除して、シークレット設定された情報の表示等を応用にした技術が考えられている。（例えば、特許文献１）
【特許文献１】特開２００１−１９５１４６号公報
【発明の開示】
【発明が解決しようとする課題】
【０００３】
しかしながら、上記特許文献１に記載された技術に限らず、新たに撮影する画像とすでに登録されている画像とでは、実際には同一の被写体であっても種々の撮影条件、例えばズームレンズのズーム位置や光源、構図等が異なることが考えられるもので、登録した鍵画像と正確に同一の画像を再現して撮影することは非常に困難である。
【０００４】
そのため、正しい被写体を撮影しているにも拘わらず、鍵画像との一致が得られず、シークレット状態を解除することができない、という事態も容易に想定しうる。
【０００５】
このような事態を解決するべく、より複雑な画像処理を実行して画像間のパターンマッチングの精度を上げることも考えられるが、ハードウェア及びソフトウェアのいずれの負担も大きくなり、１つの機能を実現するために必要なコストが大幅に上昇してしまう。
【０００６】
本発明は上記のような実情に鑑みてなされたもので、その目的とするところは、複雑な画像認識処理等を行なう必要なしに、鍵画像に対応した再現性の高い画像を誰でも容易に撮影することが可能な撮像装置、撮像装置の制御方法及びプログラムを提供することにある。
【課題を解決するための手段】
【０００７】
請求項１記載の発明は、画像を表示する表示部と、画像を撮影する撮像手段と、この撮像手段で得た画像を鍵画像として登録する登録手段と、この登録手段が登録した鍵画像を上記表示部の画面に半透過状態で表示させる第１の表示制御手段と、上記撮像手段で撮像している被写体の画像を上記表示部の画面に上記半透過状態の鍵画像に重ね合わせて表示させる第２の表示制御手段と、上記撮像手段で撮像している被写体の画像と上記登録手段で登録した鍵画像との一致を照合する照合手段と、この照合手段の照合結果に応じて予め設定された処理を実行する処理手段とを具備したことを特徴とする。
【０００８】
請求項２記載の発明は、上記請求項１記載の発明において、上記照合手段は、上記予め設定されたタイミングで２つの画像の一致を照合することを特徴とする。
【０００９】
請求項３記載の発明は、上記請求項１記載の発明において、上記照合手段は、上記撮像手段での画像撮影を指示するためのシャッタキー操作に基づいて２つの画像の一致を照合することを特徴とする。
【００１０】
請求項４記載の発明は、上記請求項１記載の発明において、上記処理手段は、所定の機能の動作ロック状態を解除することを特徴とする。
【００１１】
請求項５記載の発明は、上記請求項１記載の発明において、上記処理手段は、所定の機能を起動することを特徴とする。
【００１２】
請求項６記載の発明は、上記請求項１記載の発明において、上記登録手段は、複数の機能に対応付けて複数の鍵画像を登録し、上記第１の表示制御手段は、上記登録手段が登録した複数の鍵画像のうちの１つを上記表示部の画面に半透過状態で表示させ、上記処理手段は、上記照合手段により一致を照合した鍵画像に対応付けられた機能の処理を実行することを特徴とする。
【００１３】
請求項７記載の発明は、上記請求項１または６記載の発明において、装置内蔵のメモリと装置に着脱自在に装着されるメモリの２種類の不揮発性メモリを有し、上記登録手段は、上記装置内蔵のメモリの所定エリアに鍵画像を登録することを特徴とする。
【００１４】
請求項８記載の発明は、上記請求項１記載の発明において、上記登録手段は、鍵画像撮影時の撮影条件を鍵画像と共に登録し、上記第２の表示制御手段は、鍵画像と共に登録された撮影条件を上記撮像手段で自動設定することを特徴とする。
【００１５】
請求項９記載の発明は、画像を表示する表示部、及び画像を撮影する撮像部を備えた撮像装置の制御方法であって、上記撮像部で得た画像を鍵画像として登録する登録工程と、この登録工程で登録した鍵画像を上記表示部の画面に半透過状態で表示させる第１の表示制御工程と、上記撮像部で撮像している被写体の画像を上記表示部の画面に上記半透過状態の鍵画像に重ね合わせて表示させる第２の表示制御工程と、上記撮像部で撮像している被写体の画像と上記登録工程で登録した鍵画像との一致を照合する照合工程と、この照合工程での照合結果に応じて予め設定された処理を実行する処理工程とを有したことを特徴とする。
【００１６】
請求項１０記載の発明は、画像を表示する表示部、及び画像を撮影する撮像部を備えた撮像装置に内蔵されたコンピュータが実行するプログラムであって、上記撮像部で得た画像を鍵画像として登録する登録ステップと、この登録ステップで登録した鍵画像を上記表示部の画面に半透過状態で表示させる第１の表示制御ステップと、上記撮像手段で撮像している被写体の画像を上記表示部の画面に上記半透過状態の鍵画像に重ね合わせて表示させる第２の表示制御ステップと、上記撮像部で撮像している被写体の画像と上記登録ステップで登録した鍵画像との一致を照合する照合ステップと、この照合ステップでの照合結果に応じて予め設定された処理を実行する処理ステップとをコンピュータに実行させることを特徴とする。
【発明の効果】
【００１７】
請求項１記載の発明によれば、表示部の画面上に半透過状態の鍵画像と現在撮影している画像とが重ね合わせて表示されるようになるため、複雑な画像認識処理等を行なう必要なしに、鍵画像に対応した再現性の高い画像を誰でも容易に撮影することが可能となる。
【００１８】
請求項２記載の発明によれば、上記請求項１記載の発明の効果に加えて、例えば所定周期毎に照合を実行するなど、特にキー操作等を行なう必要がなく、より使い勝手を向上できる。
【００１９】
請求項３記載の発明によれば、上記請求項１記載の発明の効果に加えて、ユーザが納得した状態でシャッタキーを操作することで、２つの画像の一致をより確実に得ることができる。
【００２０】
請求項４記載の発明によれば、上記請求項１記載の発明の効果に加えて、例えばコンパクトタイプのデジタルカメラ等のように、パスワードを入力するための操作キー数が少ない電子機器でも容易に実現可能となる。
【００２１】
請求項５記載の発明によれば、上記請求項１記載の発明の効果に加えて、キー操作による所定の機能の起動を簡略化することができる。
【００２２】
請求項６記載の発明によれば、上記請求項１記載の発明の効果に加えて、複数の機能毎に異なる鍵画像を登録しておくことで、ユーザの好みを反映し、より愛着をもって使用してもらうことができると共に、その装置の正当なユーザ以外の使用を大幅に制限できる。
【００２３】
請求項７記載の発明によれば、上記請求項１または６記載の発明の効果に加えて、メモリカードを取り外し、あるいは交換した状態でも確実に動作を保証することができるだけでなく、特に複数の鍵画像を登録する際のメモリエリアを予め確保しておくことができる。
【００２４】
請求項８記載の発明によれば、上記請求項１記載の発明の効果に加えて、例えばズームレンズのズーム位置やホワイトバランス値、ＩＳＯ感度や絞り値、シャッタ速度、ストロボの発光モード等、鍵画像と同一の撮影条件を自動的に設定するようになるため、ユーザに一切負担をかけずに、より高い確率で画像の一致を得ることができる。
【００２５】
請求項９記載の発明によれば、表示部の画面上に半透過状態の鍵画像と現在撮影している画像とが重ね合わせて表示されるようになるため、複雑な画像認識処理等を行なう必要なしに、鍵画像に対応した再現性の高い画像を誰でも容易に撮影することが可能となる。
【００２６】
請求項１０記載の発明によれば、表示部の画面上に半透過状態の鍵画像と現在撮影している画像とが重ね合わせて表示されるようになるため、複雑な画像認識処理等を行なう必要なしに、鍵画像に対応した再現性の高い画像を誰でも容易に撮影することが可能となる。
【発明を実施するための最良の形態】
【００２７】
（第１の実施の形態）  
以下本発明をデジタルカメラに適用した場合の第１の実施の形態について図面を参照して説明する。
【００２８】
図１は、このデジタルカメラ１０内の電子回路の機能構成について示すものである。  
基本モードである撮影モードでのモニタリング（スルー画像表示）状態においては、モータ（Ｍ）１１の駆動により合焦位置や絞り位置が移動される、撮影レンズを含むレンズ光学系１２の撮影光軸後方に配置された撮像素子であるＣＣＤ１３が、タイミング発生器（ＴＧ）１４、ＣＣＤドライバ１５によって走査駆動され、一定周期毎に結像した光像に対応する光電変換出力を１画面分出力する。
【００２９】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ  Ｍｅｍｏｒｙ  Ａｃｃｅｓｓ）コントローラ１９に出力される。
【００３０】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３１】
制御部２２は、ＣＰＵと、このＣＰＵで実行される動作プログラムを固定的に記憶したＲＯＭ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号（ＹＵＶ信号）をＤＲＡＭインタフェース２０を介してＤＲＡＭ２１より読出し、表示制御部２３を介してＶＲＡＭ２４に書込む。
【００３２】
表示制御部２３は、上記輝度及び色差信号をＶＲＡＭ２４より定期的に読出し、これらのデータを元にビデオ信号を発生して表示部２５に出力する。
【００３３】
この表示部２５は、バックライト付きのカラー液晶パネルで構成され、画像の撮影モード時にはモニタ表示部（電子ファインダ）として機能するもので、表示制御部２３からのビデオ信号に基づいた表示を行なうことで、その時点で撮像素子である上記ＣＣＤ１３が取込んでいる画像情報に基づく画像をリアルタイムに表示（スルー画像表示）することとなる。
【００３４】
このように表示部２５にその時点での撮影可能なスルー画像がリアルタイムに表示されている状態で、静止画撮影を行ないたいタイミングでキー入力部２６の一部を構成するシャッタキーを操作すると、トリガ信号を発生する。
【００３５】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度でＣＣＤ１３を走査駆動して１画面分の輝度及び色差信号を得てＤＲＡＭ２１へ転送し、その後にこの経路を停止し、記憶保存の状態に遷移する。
【００３６】
この記憶保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２７に書込み、このＪＰＥＧ回路２７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３７】
そして、得た符号データを１画像のデータファイルとして該ＪＰＥＧ回路２７から読出し、このデジタルカメラ１０の記憶媒体として着脱自在に装着されるメモリカード２８、及びこのデジタルカメラ１０に固定的に内蔵された内蔵メモリ２９のいずれか一方に書込む。
【００３８】
このメモリカード２８は、内部に不揮発性メモリであるフラッシュメモリを封入したカード状の媒体である。一方の内蔵メモリ２９は、同様にフラッシュメモリで構成されるものであるが、他の回路と同様にフレキシブル基盤等に固定的に実装される。
【００３９】
そして、１フレーム分の輝度及び色差信号の圧縮処理とメモリカード２８または内蔵メモリ２９への全圧縮データの書込み終了に伴なって、制御部２２はＣＣＤ１３からＤＲＡＭ２１への経路を再び起動する。
【００４０】
なお、内蔵メモリ２９には図２に示すように所定の機能、例えば「画像再生」「画像撮影」及び「画像編集」の３つの機能に対応して共通する鍵画像としての「画像Ａ」が予め設定されたファイルデータエリアに書込んで記憶される。この鍵画像は、上記機能モードを指定した場合に動作がロックするシークレット状態を解除するための正しい鍵として予めユーザによって任意の撮影内容が登録されるものである。
【００４１】
また、上記制御部２２には、キー入力部２６、ストロボ駆動部３０、及びＵＳＢインターフェイス（Ｉ／Ｆ）３１が接続される。
【００４２】
キー入力部２６は、上述したシャッタキーの他に、電源キー、撮影モードキー、再生モードキー、マクロキー、ストロボキー、メニュー（ＭＥＮＵ）キー、十字キー、及びセット（ＳＥＴ）キー等から構成され、それらのキー操作に伴なう信号は直接制御部２２へ送出される。
【００４３】
ストロボ駆動部３０は、静止画像撮影時に図示しないストロボ用の大容量コンデンサを充電した上で、制御部２２からの制御に基づいてストロボ発光部３２を閃光駆動する。
【００４４】
ＵＳＢインターフェイス３１は、ＵＳＢコネクタ３３を介して有線接続される外部の情報機器、例えばパーソナルコンピュータとの間で画像データその他の送受を行なう場合の通信制御を行なう。
【００４５】
なお、上記通常の撮影モードとは別に、上記キー入力部２６の撮影モードキーの操作により動画像の撮影も可能となる。この動画像の撮影時においては、キー入力部２６のシャッタキーが１回目に操作されてから、上述した静止画像データのメモリカード２８または内蔵メモリ２９への記憶を時間的に連続して実行し、該シャッタキーの２回目の操作がなされるか、または所定の制限時間、例えば３０秒が経過した時点で、メモリカード２８または内蔵メモリ２９に記憶されている一連の静止画データをモーションＪＰＥＧの動画データファイル（ＡＶＩファイル）として記憶設定し直す。
【００４６】
また、再生モード時には、制御部２２がメモリカード２８または内蔵メモリ２９に記憶されている画像データを選択的に読出し、ＪＰＥＧ回路２７で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容を表示制御部２３を介してＶＲＡＭ２４に記憶させ、このＶＲＡＭ２４より表示制御部２３が定期的に画像データを読出してＲＧＢ信号を生成して表示部２５に出力する。
【００４７】
なお、選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００４８】
（第１の実施の形態の動作）  
次に上記実施の形態の動作について説明する。
【００４９】
図３は、上記図２に示した如く内蔵メモリ２９に鍵画像を登録する際の処理内容を示すもので、その制御動作は基本的に制御部２２がＲＯＭに予め記憶している動作プログラムに基づいて実行するものである。
【００５０】
その当初には、例えばキー入力部２６のメニューキーと十字キー、及びセットキーの組み合わせ操作により鍵画像の登録が指示されるのを待機する（ステップＡ０１）。
【００５１】
登録が指示されたと判断した時点で、ＣＣＤ１３でその時点で撮像している画像をそのまま表示部２５で表示させるスルー画像の表示状態とすると共に、併せて表示部２５に鍵画像となる画像の撮影、保存を行なうべくシャッタキーの操作を促す文字ガイドメッセージ、例えば  
「シャッタを押して鍵画像を撮影して下さい」  
のように表示して（ステップＡ０２）、実際にシャッタキーが操作されたか否かを判断する（ステップＡ０３）、という処理を繰返し実行し、シャッタキーの操作を待機する。
【００５２】
そして、シャッタキーが操作されるとステップＡ０３でこれを判断し、撮影により得てＤＲＡＭ２１に保持した画像データをユーザの確認のために表示部２５で固定表示させる（ステップＡ０４）。
【００５３】
図４は、この時に表示部２５で表示される撮影画像の内容を例示するもので、ここではユーザがデジタルカメラ１０を右手で把持し、左手の掌の一部を撮影した場合を例示しており、ユーザの左手の掌紋を鍵画像として利用することができる。
【００５４】
このとき、併せて表示部２５では、その表示した画像を鍵画像として保存する指示を促す文字ガイドメッセージ、例えば  
「この画像を鍵画像として保存しますか？  
ＹＥＳ→ＳＥＴ／ＮＯ→ＭＥＮＵ」  
を表示した上で（ステップＡ０５）、そのガイドメッセージにしたがって保存を指示するキー操作がなされたか、それとも保存しないためのキー操作がなされたのかを判断する（ステップＡ０６）。
【００５５】
ここで保存しないためのキー操作がなされたと判断した場合に、上記ステップＡ０４で表示した撮影画像は鍵画像とはしないとユーザが判断したことになるので、あらたな鍵画像の撮影を実行するべく上記ステップＡ０２からの処理に戻る。
【００５６】
また、ステップＡ０６で保存を指示するキー操作がなされたと判断した場合には、ＤＲＡＭ２１に保持している画像データを鍵画像として登録するべくＪＰＥＧ回路２７で所定のフォーマットでデータ圧縮した後に、上記図２で示した如く内蔵メモリ２９の所定ファイルエリアに書込む（ステップＡ０７）。
【００５７】
これと共に表示部２５では、鍵画像の登録を完了したことを示す文字ガイドメッセージ、例えば  
「鍵画像の登録を完了しました」  
のように一定時間だけ表示し、以上でこの図３の鍵画像の登録処理を終了し、元のモードに復帰する。
【００５８】
次に、上記のようにして登録した鍵画像を用いたロック解除判定時の動作について説明する。
【００５９】
図５は、内蔵メモリ２９に鍵画像が登録されている状態で、電源オン後に基本モードの１つである画像再生を行なう再生モード、同じく基本モードの１つである画像撮影を行なう撮影モード、及び上記再生モードから再生している画像の編集を行なう画像編集モードに移行した場合に自動的に移行して実行する、ロック解除判定の処理内容を示すもので、その制御動作は制御部２２がＲＯＭに予め記憶している動作プログラムに基づいて実行するものである。
【００６０】
その当初に、内蔵メモリ２９に登録されている鍵画像のデータを読出し（ステップＢ０１）、読出した画像データをＤＲＡＭ２１に展開して保持させると共に、その画像から半透過画像を作成して表示部２５で表示させる（ステップＢ０２）。
【００６１】
図６（Ａ）は、このとき表示部２５で半透過状態で表示される鍵画像を例示するもので、例えば上記図４で示した画像の原色成分ＲＧＢの各階調値を１ビット分または２ビット分シフトダウンする（すなわち階調値を１／２または１／４にする）ことで容易に半透過表示のための画像データを生成することができる。
【００６２】
この鍵画像の半透過表示と併せて、ＣＣＤ１３でその時点で撮像している画像を取得してそのまま表示部２５で表示させるスルー画像の表示状態を設定する（ステップＢ０３）。
【００６３】
これにより、撮影により得られるスルー画像のデータが上記半透過状態の鍵画像上に重ね合わされるように表示部２５で表示されるようになるもので（ステップＢ０４）、このように２つの画像が重ね合わせて表示された状態で、予め設定された周期、例えば０．５［秒］の認識タイミングとなったか否かを判断し（ステップＢ０５）、まだ認識タイミングとなっていないと判断した場合は再び上記ステップＢ０３からの処理に戻る。
【００６４】
図６（Ｂ）は、この時に撮影で得られるスルー画像を例示するものであり、ユーザがこのデジタルカメラ１０の鍵画像を撮影した場合と同様に自分の左手の掌を撮影している状態を例示するものであるが、上記図４及び図６（Ａ）で示した鍵画像に比して、レンズ光学系１２を構成するズームレンズの焦点距離位置がより大きく（鍵画像登録時よりも望遠側に）設定されているか、またはレンズ光学系１２と左手の掌との距離がより近くなっているかの少なくとも一方の理由により、構図が大きく異なっている。
【００６５】
上記ステップＢ０３〜Ｂ０５の処理を繰返し実行して随時撮影によるスルー画像を更新する過程で予め設定された認識タイミングとなるとステップＢ０５によりこれを判断して、画像認識技術、主として輪郭抽出技術とパターンマッチング技術により鍵画像とスルー画像の類似度を算出する（ステップＢ０６）。
【００６６】
そして、算出した類似度が予め設定された許容度、例えば９５％以上であるか否かにより、２つの画像が一致したか否かを判断するもので（ステップＢ０７）、２つの画像の類似度が予め設定された許容度未満であった場合には再び上記ステップＢ０３からの処理に戻る。
【００６７】
こうして２つの画像が一致したと判断するまで上記ステップＢ０３〜Ｂ０７の処理を繰返し実行し、所定周期の認識タイミングとなる毎に自動的に２つの画像の類似度を算出して一致判断するもので、ユーザは表示部２５に半透過状態で表示される鍵画像に対し、スルー画像が正確に重なり合って一致するようにデジタルカメラ１０の位置を適宜移動させ、同一の構図とさせる。
【００６８】
しかして、鍵画像と撮影により得るスルー画像とが一致した時点でステップＢ０７によりこれを判断し、ロック状態を解除する設定を実行することで以後の動作を許可するものとし（ステップＢ０８）、以上でこの図５の処理を終了して、この図５の処理を行なう直前に指定した、再生モード、撮影モード、または画像編集モードのいずれかに移行する。
【００６９】
このように、表示部２５の画面上に半透過状態の鍵画像と現在撮影している画像とが重ね合わせて表示されるようになるため、ユーザが撮影する画像の位置合わせが視覚的に理解し易くきわめて容易であり、結果として装置側も複雑な画像認識処理等を行なう必要なしに、鍵画像に対応した同一の構図による再現性の高い画像を誰でも容易に撮影することが可能となる。
【００７０】
また、２つの画像の照合を行なう認識は、予め設定された周期に応じたタイミングで連続して行なうため、ユーザは特にキー操作等を行なう必要がなく、より使い勝手を向上できる。
【００７１】
（第１の実施の形態の他の動作）  
次に上記図５に代えて、図７により登録した鍵画像を用いたロック解除判定時の動作について説明する。
【００７２】
この図７も、上記図５と同様、内蔵メモリ２９に鍵画像が登録されている状態で、電源オン後に基本モードの１つである画像再生を行なう再生モード、同じく基本モードの１つである画像撮影を行なう撮影モード、及び上記再生モードから再生している画像の編集を行なう画像編集モードに移行した場合に自動的に移行して実行する、ロック解除判定の処理内容を示すもので、その制御動作は制御部２２がＲＯＭに予め記憶している動作プログラムに基づいて実行するものである。
【００７３】
その当初に、内蔵メモリ２９に登録されている鍵画像のデータを読出し（ステップＢ０１）、読出した画像データをＤＲＡＭ２１に展開して保持させると共に、その画像から半透過画像を作成して表示部２５で表示させる（ステップＢ０２）。
【００７４】
図６（Ａ）は、このとき表示部２５で半透過状態で表示される鍵画像を例示するもので、例えば上記図４で示した画像の原色成分ＲＧＢの各階調値を１ビット分または２ビット分シフトダウンする（すなわち階調値を１／２または１／４にする）ことで容易に半透過表示のための画像データを生成することができる。
【００７５】
この鍵画像の半透過表示と併せて、ＣＣＤ１３でその時点で撮像している画像を取得してそのまま表示部２５で表示させるスルー画像の表示状態を設定する（ステップＢ０３）。
【００７６】
これにより、撮影により得られるスルー画像のデータが上記半透過状態の鍵画像上に重ね合わされるように表示部２５で表示されるようになるもので（ステップＢ０４）、このように２つの画像が重ね合わせて表示された状態で、キー入力部２６のシャッタキーが操作されたか否かを判断し（ステップＢ０５′）、操作されていないと判断した場合は再び上記ステップＢ０３からの処理に戻る。
【００７７】
図６（Ｂ）は、この時に撮影で得られるスルー画像を例示するものであり、ユーザがこのデジタルカメラ１０の鍵画像を撮影した場合と同様に自分の左手の掌を撮影している状態を例示するものであるが、上記図４及び図６（Ａ）で示した鍵画像に比して、レンズ光学系１２を構成するズームレンズの焦点距離位置がより大きく（鍵画像登録時よりも望遠側に）設定されているか、またはレンズ光学系１２と左手の掌との距離がより近くなっているかの少なくとも一方の理由により、構図が大きく異なっている。
【００７８】
上記ステップＢ０３〜Ｂ０５の処理を繰返し実行して随時撮影によるスルー画像を更新する過程で、ユーザはスルー画像が鍵画像と正確に一致したと確信した時点でシャッタキーするもので、このシャッタキーの操作に対して上記ステップＢ０５′でこれを判断して、画像認識技術、主として輪郭抽出技術とパターンマッチング技術により鍵画像とスルー画像の類似度を算出する（ステップＢ０６）。
【００７９】
そして、算出した類似度が予め設定された許容度、例えば９５％以上であるか否かにより、２つの画像が一致したか否かを判断するもので（ステップＢ０７）、２つの画像の類似度が予め設定された許容度以上であると判断すると、ロック状態を解除する設定を実行することで以後の動作を許可するものとし（ステップＢ０８）、以上でこの図７の処理を終了して、この図５の処理を行なう直前に指定した、再生モード、撮影モード、または画像編集モードのいずれかに移行する。
【００８０】
このように、ユーザの意志により２つの画像の一致判断を行なうタイミングを指示できるので、ユーザが納得した状態でシャッタキーを操作することで、２つの画像の一致をより確実に得ることができる。
【００８１】
（第２の実施の形態）  
以下本発明をデジタルカメラに適用した場合の第２の実施の形態について図面を参照して説明する。
【００８２】
なお、デジタルカメラ内の電子回路の機能構成については上記図１と基本的に同様であるものとし、同一部分には同一符号を用いてその図示及び説明を省略するものとする。
【００８３】
また、内蔵メモリ２９には図８に示すように所定の機能、例えば「画像再生」「画像撮影」及び「画像編集」の３つの機能に対応してそれぞれ共通する鍵画像としての「画像Ａ」「鍵画像Ｂ」「鍵画像Ｃ」が予め設定されたファイルデータエリアに個別に書込んで記憶される。これらの鍵画像は、上記各機能モードを指定した場合に、動作がロックするシークレット状態を解除するための正しい鍵として予めユーザによって任意の撮影内容が登録されるものである。
【００８４】
（第２の実施の形態の動作）  
次に上記実施の形態の動作について説明する。
【００８５】
図９は、上記図８に示した如く内蔵メモリ２９に鍵画像を登録する際の処理内容を示すもので、その制御動作は基本的に制御部２２がＲＯＭに予め記憶している動作プログラムに基づいて実行するものである。
【００８６】
その当初には、例えばキー入力部２６のメニューキーと十字キー、及びセットキーの組み合わせ操作により鍵画像の登録が指示されるのを待機する（ステップＣ０１）。
【００８７】
登録が指示されたと判断した時点で、次に鍵画像を登録する機能の一覧と、そのいずれかを選択指示することを促す文字ガイドメッセージとを、例えば  
「画像再生  
画像撮影  
画像編集  
どれか機能を選択して下さい  
↑,↓／選択→ＳＥＴ」  
のように表示部２５に表示した上で（ステップＣ０２）、そのいずれか１つの機能が設定指示されるのを待機する（ステップＣ０３）。
【００８８】
しかして、そのうちの１つの機能が選択指示されるとステップＣ０３でこれを判断し、ＣＣＤ１３でその時点で撮像している画像をそのまま表示部２５で表示させるスルー画像の表示状態とすると共に、併せて表示部２５にその機能に対応する鍵画像となる画像の撮影、保存を行なうべくシャッタキーの操作を促す文字ガイドメッセージ、例えば  
「シャッタを押して鍵画像を撮影して下さい」  
のように表示して（ステップＣ０４）、実際にシャッタキーが操作されたか否かを判断する（ステップＣ０５）、という処理を繰返し実行し、シャッタキーの操作を待機する。
【００８９】
そして、シャッタキーが操作されるとステップＣ０５でこれを判断し、撮影により得てＤＲＡＭ２１に保持した画像データをユーザの確認のために表示部２５で固定表示させる（ステップＣ０６）。
【００９０】
図４は、この時に表示部２５で表示される撮影画像の内容を例示するもので、ここではユーザがデジタルカメラ１０を右手で把持し、左手の掌の一部を撮影した場合を例示しており、ユーザの左手の掌紋を鍵画像として利用することができる。
【００９１】
このとき、併せて表示部２５では、その表示した画像を選択した機能の鍵画像として保存する指示を促す文字ガイドメッセージ、例えば  
「この画像を○○○○（機能名）の  
鍵画像として保存しますか？  
ＹＥＳ→ＳＥＴ／ＮＯ→ＭＥＮＵ」  
を表示した上で（ステップＣ０７）、そのガイドメッセージにしたがって保存を指示するキー操作がなされたか、それとも保存しないためのキー操作がなされたのかを判断する（ステップＣ０８）。
【００９２】
ここで保存しないためのキー操作がなされたと判断した場合に、上記ステップＣ０６で表示した撮影画像はその機能の鍵画像とはしないとユーザが判断したことになるので、あらたな鍵画像の撮影を実行するべく上記ステップＣ０４からの処理に戻る。
【００９３】
また、ステップＣ０８で保存を指示するキー操作がなされたと判断した場合には、ＤＲＡＭ２１に保持している画像データを選択指示した機能の鍵画像として登録するべくＪＰＥＧ回路２７で所定のフォーマットでデータ圧縮した後に、上記図８で示した如く内蔵メモリ２９の対応する機能に割り当てられた所定ファイルエリアに書込む（ステップＣ０９）。
【００９４】
これと共に表示部２５では、選択指示した機能の鍵画像の登録を完了したことと、さらに他の機能についても鍵画像の登録を継続して実行するのかをユーザに問う文字ガイドメッセージ、例えば  
「○○○○（機能名）の鍵画像の登録を完了しました
他の機能の鍵画像の登録に移行しますか？  
ＹＥＳ→ＳＥＴ／ＮＯ→ＭＥＮＵ」  
のように表示した上で（ステップＣ１０）、そのガイドメッセージにしたがってまだ鍵画像の登録を継続するキー操作がなされたか、それとも継続せず終了するためのキー操作がなされたのかを判断する（ステップＣ１１）。
【００９５】
ここで、継続するためのキー操作がなされた場合には、再び上記ステップＣ０２からの処理に戻る。
【００９６】
このように、機能毎に異なる鍵画像を内蔵メモリ２９の機能毎に割り当てられた所定の
エリアに書込んでいく。
【００９７】
しかして、すべての機能に対する鍵画像を内蔵メモリ２９に登録し終えて、もう登録動作を終了するためのキー操作がなされた場合にはステップＣ１１でこれを判断し、以上でこの図９の機能毎の鍵画像の登録処理を終了し、元のモードに復帰する。
【００９８】
次に、上記のようにして機能毎に登録した鍵画像を用いたロック解除判定時の動作について説明する。
【００９９】
図１０は、内蔵メモリ２９に機能毎の鍵画像が登録されている状態で、電源オン時にデジタルカメラ１０が少なくとも１つの機能がロック状態にあるときに自動的に移行して実行する、ロック解除判定の処理内容を示すもので、その制御動作は制御部２２がＲＯＭに予め記憶している動作プログラムに基づいて実行するものである。
【０１００】
その当初には、複数のロックさ状態にある機能のうち、ロックを解除する機能の指定を促す文字ガイドメッセージとを、例えば  
「画像再生  
画像撮影  
画像編集  
どれかロックを解除する機能を選択して下さい  
↑,↓／選択→ＳＥＴ」  
のように表示部２５に表示した上で（ステップＤ０１）、そのいずれか１つの機能が指定されるのを待機する（ステップＤ０２）。
【０１０１】
しかして、そのうちの１つの機能が指定されるとステップＤ０２でこれを判断し、内蔵メモリ２９に登録されている複数の鍵画像のうち、指定された機能に対応するもののデータを読出し（ステップＤ０３）、読出した画像データをＤＲＡＭ２１に展開して保持させると共に、その画像から半透過画像を作成して表示部２５で表示させる（ステップＤ０４）。
【０１０２】
図６（Ａ）は、このとき表示部２５で半透過状態で表示される鍵画像を例示するもので、例えば上記図４で示した画像の原色成分ＲＧＢの各階調値を１ビット分または２ビット分シフトダウンする（すなわち階調値を１／２または１／４にする）ことで容易に半透過表示のための画像データを生成することができる。
【０１０３】
この鍵画像の半透過表示と併せて、ＣＣＤ１３でその時点で撮像している画像を取得してそのまま表示部２５で表示させるスルー画像の表示状態を設定する（ステップＤ０５）。
【０１０４】
これにより、撮影により得られるスルー画像のデータが上記半透過状態の鍵画像上に重ね合わされるように表示部２５で表示されるようになるもので（ステップＤ０６）、このように２つの画像が重ね合わせて表示された状態で、予め設定された周期、例えば０．５［秒］の認識タイミングとなったか否かを判断し（ステップＤ０７）、まだ認識タイミングとなっていないと判断した場合は再び上記ステップＤ０５からの処理に戻る。
【０１０５】
図６（Ｂ）は、この時に撮影で得られるスルー画像を例示するものであり、ユーザがこのデジタルカメラ１０の鍵画像を撮影した場合と同様に自分の左手の掌を撮影している状態を例示するものであるが、上記図４及び図６（Ａ）で示した鍵画像に比して、レンズ光学系１２を構成するズームレンズの焦点距離位置がより大きく（鍵画像登録時よりも望遠側に）設定されているか、またはレンズ光学系１２と左手の掌との距離がより近くなっているかの少なくとも一方の理由により、構図が大きく異なっている。
【０１０６】
上記ステップＤ０５〜Ｄ０７の処理を繰返し実行して随時撮影によるスルー画像を更新する過程で予め設定された認識タイミングとなるとステップＤ０７によりこれを判断して、画像認識技術、主として輪郭抽出技術とパターンマッチング技術により鍵画像とスルー画像の類似度を算出する（ステップＤ０８）。
【０１０７】
そして、算出した類似度が予め設定された許容度、例えば９５％以上であるか否かにより、２つの画像が一致したか否かを判断するもので（ステップＤ０９）、２つの画像の類似度が予め設定された許容度未満であった場合には再び上記ステップＤ０５からの処理に戻る。
【０１０８】
こうして２つの画像が一致したと判断するまで上記ステップＤ０５〜Ｄ０９の処理を繰返し実行し、所定周期の認識タイミングとなる毎に自動的に２つの画像の類似度を算出して一致判断するもので、ユーザは表示部２５に半透過状態で表示される鍵画像に対し、スルー画像が正確に重なり合って一致するようにデジタルカメラ１０の位置を適宜移動させ、同一の構図とさせる。
【０１０９】
しかして、鍵画像と撮影により得るスルー画像とが一致した時点でステップＤ０７によりこれを判断し、その機能の動作に関するロック状態を解除する設定を実行することで、以後その機能に関しては動作を許可するものとし（ステップＤ１０）、以上でこの図１０の処理を終了して、このロック状態が解除された機能による動作に移行する。
【０１１０】
さらに、ロック状態にある他の機能のロックを解除してその機能を実行したい場合には、その都度同様に上記図１０の処理を実行する。
【０１１１】
このように、上記第１の実施の形態の効果に加えて、複数の機能毎に異なる鍵画像を登録しておくことで、ユーザの好みを反映し、より愛着をもってデジタルカメラ１０を使用してもらうことができると共に、その装置の正当なユーザ以外の使用を大幅に制限することができる。
【０１１２】
また、２つの画像の照合を行なう認識は、予め設定された周期に応じたタイミングで連続して行なうため、ユーザは特にキー操作等を行なう必要がなく、より使い勝手を向上できる。
【０１１３】
（第２の実施の形態の他の動作）  
次に上記図１０に代えて、図１１により登録した鍵画像を用いたロック解除判定時の動作について説明する。
【０１１４】
この図１１も、上記図１０と同様、内蔵メモリ２９に機能毎の鍵画像が登録されている状態で、電源オン時にデジタルカメラ１０が少なくとも１つの機能がロック状態にあるときに自動的に移行して実行する、ロック解除判定の処理内容を示すもので、その制御動作は制御部２２がＲＯＭに予め記憶している動作プログラムに基づいて実行するものである。
【０１１５】
その当初には、複数のロック状態にある機能のうち、ロックを解除する機能の指定を促す文字ガイドメッセージとを、例えば  
「画像再生  
画像撮影  
画像編集  
どれかロックを解除する機能を選択して下さい  
↑,↓／選択→ＳＥＴ」  
のように表示部２５に表示した上で（ステップＤ０１）、そのいずれか１つの機能が指定されるのを待機する（ステップＤ０２）。
【０１１６】
しかして、そのうちの１つの機能が指定されるとステップＤ０２でこれを判断し、内蔵メモリ２９に登録されている複数の鍵画像のうち、指定された機能に対応するもののデータを読出し（ステップＤ０３）、読出した画像データをＤＲＡＭ２１に展開して保持させると共に、その画像から半透過画像を作成して表示部２５で表示させる（ステップＤ０４）。
【０１１７】
図６（Ａ）は、このとき表示部２５で半透過状態で表示される鍵画像を例示するもので、例えば上記図４で示した画像の原色成分ＲＧＢの各階調値を１ビット分または２ビット分シフトダウンする（すなわち階調値を１／２または１／４にする）ことで容易に半透過表示のための画像データを生成することができる。
【０１１８】
この鍵画像の半透過表示と併せて、ＣＣＤ１３でその時点で撮像している画像を取得してそのまま表示部２５で表示させるスルー画像の表示状態を設定する（ステップＤ０５）。
【０１１９】
これにより、撮影により得られるスルー画像のデータが上記半透過状態の鍵画像上に重ね合わされるように表示部２５で表示されるようになるもので（ステップＤ０６）、このように２つの画像が重ね合わせて表示された状態で、キー入力部２６のシャッタキーが操作されたか否かを判断し（ステップＤ０７′）、操作されていないと判断した場合は再び上記ステップＤ０５からの処理に戻る。
【０１２０】
図６（Ｂ）は、この時に撮影で得られるスルー画像を例示するものであり、ユーザがこのデジタルカメラ１０の鍵画像を撮影した場合と同様に自分の左手の掌を撮影している状態を例示するものであるが、上記図４及び図６（Ａ）で示した鍵画像に比して、レンズ光学系１２を構成するズームレンズの焦点距離位置がより大きく（鍵画像登録時よりも望遠側に）設定されているか、またはレンズ光学系１２と左手の掌との距離がより近くなっているかの少なくとも一方の理由により、構図が大きく異なっている。
【０１２１】
上記ステップＤ０５〜Ｄ０７の処理を繰返し実行して随時撮影によるスルー画像を更新する過程で、ユーザはスルー画像が鍵画像と正確に一致したと確信した時点でシャッタキーするもので、このシャッタキーの操作に対して上記ステップＤ０７′でこれを判断して、画像認識技術、主として輪郭抽出技術とパターンマッチング技術により鍵画像とスルー画像の類似度を算出する（ステップＤ０８）。
【０１２２】
そして、算出した類似度が予め設定された許容度、例えば９５％以上であるか否かにより、２つの画像が一致したか否かを判断するもので（ステップＤ０９）、２つの画像の類似度が予め設定された許容度以上であると判断すると、ロック状態を解除する設定を実行することで以後の動作を許可するものとし（ステップＤ１０）、以上でこの図１１の処理を終了して、このロック状態が解除された機能による動作に移行する。
【０１２３】
さらに、ロック状態にある他の機能のロックを解除してその機能を実行したい場合には、その都度同様に上記図１０の処理を実行する。
【０１２４】
このように、ユーザの意志により２つの画像の一致判断を行なうタイミングを指示できるので、ユーザが納得した状態でシャッタキーを操作することで、２つの画像の一致をより確実に得ることができる。
【０１２５】
なお、上記第１及び第２の実施の形態では、鍵画像をシークレットキーとしてロック状態を解除するために使用したので、例えばコンパクトタイプのデジタルカメラ等のように、パスワードを入力するための操作キー数が少ない電子機器でも容易に実現可能となる。
【０１２６】
また、上記第１及び第２の実施の形態では、所定の機能に対応してそのロックを解除するために鍵画像を登録するものとしたが、その鍵画像の撮影時に得た撮影条件のデータ、具体的にはレンズ光学系１２構成する例えばズームレンズのズーム位置、ホワイトバランス値、ＩＳＯ感度、絞り値、シャッタ速度、ストロボの発光モード等を鍵画像と共に内蔵メモリ２９に登録しておき、内蔵メモリ２９から鍵画像を読出す際にはそのさえ条件データも同時に読出して、レンズ光学系１２やＣＣＤ１３をはじめ、スルー画像データを得るための撮影環境を対応する鍵画像撮影時と同一となるように自動設定することにより、ユーザに一切負担をかけずに、より高い確率で２つの画像の一致を得ることができる。
【０１２７】
さらに、上記第１及び第２の実施の形態では、画像データを記憶するための記憶媒体としてデジタルカメラ１０に着脱自在なメモリカード２８と、デジタルカメラ１０内に固定的に設けられる内蔵メモリ２９の２つを用いるものとし、鍵画像は内蔵メモリ２９に予め設けたエリアに記憶させるものとしたが、これによりメモリカード２８をデジタルカメラ１０から取り外した場合や、あるいはメモリカード２８を交換し装着した場合でも鍵画像データが失われてしまうことがなく、確実に動作を保証することができると共に、、特に第２の実施の形態で説明したように複数の鍵画像を機能毎に対応して登録する際のメモリエリアを予め確保しておくことができる。
【０１２８】
なお、上記第１及び第２の実施の形態は、鍵画像をロック状態を解除するために用いるものとしたが、本発明はこれに限らず、その他の処理、例えば所定の機能の起動や、データの誤消去を回避するための確認等に使用することもでき、カメラ機能を有する機器であれば、キー操作等を行なう代わりに実行することができるので、より装置構成を簡略化することができる。
【０１２９】
また、上記第１及び第２の実施の形態はいずれもデジタルカメラに適用した場合について説明したが、本発明はこれに限らず、カメラ付き携帯電話機、カメラ付きＰＤＡ（Ｐｅｒｓｏｎａｌ  Ｄｉｇｉｔａｌ  Ａｓｓｉｓｔａｎｔｓ：個人向け情報携帯端末）、カメラ付きハンディターミナル、カメラ付きパーソナルコンピュータ、ビデオムービーカメラ、ボディアクション系のテレビゲームソフト等、各種カメラ機能を有する電子機器やその制御方法、及び動作プログラムとして容易に適応可能となることは勿論である。
【０１３０】
その他、本発明は上記実施の形態に限らず、その要旨を逸脱しない範囲内で種々変形して実施することが可能であるものとする。
【０１３１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３２】
【図１】本発明の第１の実施の形態に係るデジタルカメラの電子回路の機能構成を示すブロック図。
【図２】同実施の形態に係る図１の内蔵メモリに登録された鍵画像を例示する図。
【図３】同実施の形態に係る制御部による鍵画像登録時の処理内容を示すフローチャート。
【図４】同実施の形態に係る鍵画像登録時の表示部画面を例示する図。
【図５】同実施の形態に係る制御部によるロック解除判定時の処理内容を示すフローチャート。
【図６】同実施の形態に係るロック解除判定時の表示部画面を例示する図。
【図７】同実施の形態に係る制御部によるロック解除判定時の他の処理内容を示すフローチャート。
【図８】本発明の第２の実施の形態に係る図１の内蔵メモリに登録された機能毎の鍵画像を例示する図。
【図９】同実施の形態に係る機能毎の鍵画像登録時の処理内容を示すフローチャート。
【図１０】同実施の形態に係るロック解除判定時の処理内容を示すフローチャート。
【図１１】同実施の形態に係るロック解除判定時の他の処理内容を示すフローチャート。
【符号の説明】
【０１３３】
１０…デジタルカメラ、１１…モータ（Ｍ）、１２…レンズ光学系、１３…ＣＣＤ、１４…タイミング発生器（ＴＧ）、１５…ＣＣＤドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…表示制御部、２４…ＶＲＡＭ、２５…表示部、２６…キー入力部、２７…ＪＰＥＧ回路、２８…メモリカード、２９…内蔵メモリ、３０…ストロボ駆動部、３１…ＵＳＢインターフェイス（Ｉ／Ｆ）、３２…ストロボ発光部、３３…ＵＳＢコネクタ、ＳＢ…システムバス。
【図１】
2006166012.tif 000003
【図２】
2006166012.tif 000004
【図３】
2006166012.tif 000005
【図４】
2006166012.tif 000006
【図５】
2006166012.tif 000007
【図６】
2006166012.tif 000008
【図７】
2006166012.tif 000009
【図８】
2006166012.tif 000010
【図９】
2006166012.tif 000011
【図１０】
2006166012.tif 000012
【図１１】
2006166012.tif 000013